(57)【要約】【課題】本発明は放熱に便利なＰＣケースを開示した。【解決手段】ケースとケースに連通した塞ぎチャンバとを含み、前記塞ぎチャンバが前方に開口しており、前記ケースの内の左端壁には外部空間に連通した排気孔が九つ設けられ、前記塞ぎチャンバの右端壁の中にはバネチャンバが三つ設けられ、前記バネチャンバの右端壁の中には伝動チャンバが設けられ、当該発明が作動するとき、コンピューター本体の放熱のニーズに合わせ、吸気口の大きさを調節して風の入れる程度を調節し、散熱速度を上げ、また簡単な操作で直接にＰＣケースを開けることができ、ＰＣケースの内部をクリーニングすることに便利である。【選択図】図１
2020184287.tif 000002
【特許請求の範囲】
【請求項１】
正面視で、ケースとケースに連通した塞ぎチャンバとを含み、前記塞ぎチャンバが前方に開口しており、前記ケースの内の左端壁には外部空間に連通した排気孔が九つ設けられ、前記塞ぎチャンバの右端壁の中にはバネチャンバが三つ設けられ、前記バネチャンバの右端壁の中には伝動チャンバが設けられ、前記伝動チャンバの中には伝動機構が設けられ、前記伝動機構はモーターと前記モーターに伝動できるように連結された伝動軸とを含み、前記伝動軸には伝動リールが固定的に設けられ、前記伝動リールにはロープが巻き付いており、前記伝動チャンバの右端壁には右方に開口したバネ溝が設けられ、前記バネ溝の左端壁には伸縮バネが固定的に設けられ、前記伸縮バネの右端にはロープ巻きブロックが固定的に設けられ、前記ロープ巻きブロックの中には上方に開口した位置制限溝が設けられ、前記位置制限溝の下端壁には位置制限バネが固定的に設けられ、前記位置制限バネの上端には上端が前記バネ溝の中に位置した位置制限ブロックが固定的に設けられ、前記塞ぎチャンバの右端壁には左方に開口した移動チャンバが二つ設けられ、前記バネチャンバの右端壁と前記移動チャンバの右端壁とにはいずれも圧縮バネが固定的に設けられ、前記バネチャンバの中には前記圧縮バネと連結されたバネ板がスライドできるように連結され、前記バネ板の左端には左端が前記塞ぎチャンバの中に位置した塞ぎ板が設けられ、前記塞ぎ板が前記塞ぎチャンバを仕切っており、前記移動チャンバの中には右端が前記圧縮バネと連結された移動板が固定的に設けられ、前記移動板の左端が前記塞ぎチャンバを仕切っており、前記バネ板の右端には右端が前記伝動チャンバの中に位置したチェーンが固定的に設けられ、前記チェーンは前記バネ板を引き動かすことができ、前記移動板の右端には右端が前記伝動チャンバの中に位置した細紐が設けられ、前記細紐は前記移動板を引き動かすことができ、前記伝動チャンバの下端壁の中には濾過機構が設けられ、前記濾過機構は前記伝動チャンバに空気を入れる吸気口を含み、前記吸気口の右端壁には右方に開口した平行移動チャンバが設けられ、前記吸気口の中には多孔板と濾過網とが設けられ、前記平行移動チャンバの中には前記多孔板と前記濾過網とを運動連動させる平行移動板が設けられ、前記平行移動板の右端には引きリングが設けられ、前記平行移動板の作用は放熱によって三つの前記塞ぎ板の移動を調節することであることを特徴とする放熱に便利なＰＣケース。
【請求項２】
前記伝動機構は三つの伝動板も含み、前記伝動板の中には前記伝動板を貫通した貫通孔が設けられ、前記伝動チャンバの左右端壁の間には前記貫通孔を貫通した支持ロッドが固定的に設けられ、前記支持ロッドには前記貫通孔を貫通した摩擦ロッドがスライドできるように連結され、前記ロープが前記バネ溝を貫通しており、且つ前記ロープ巻きブロックに巻き付いた後に前記摩擦ロッドの右端と連結され、前記摩擦ロッドの右端には右端が前記伝動チャンバの右端壁と連結された伝動バネが設けられ、三本の前記チェーンの右端の片側と三つの前記伝動板とが連結され、前記細紐の右端と左側の前記伝動板とが連結され、前記摩擦ロッドには大きさが違う円錐形摩擦ブロックが二つ設けられ、右側の二つの前記貫通孔の上下端壁の中にはいずれも前記貫通孔に連通した摩擦溝が設けられ、前記摩擦溝の片側端壁には制限バネが設けられ、左側の前記制限バネの一端には一端が前記貫通孔の中に位置した小矩形ブロックが設けられ、右側の前記制限バネの一端には一端が前記貫通孔の中に位置した大矩形ブロックが設けられ、前記伝動チャンバの下端壁には固定ブロックが設けられ、前記固定ブロックの作用は前記塞ぎ板の移動を制御することであることを特徴とする請求項１に記載の放熱に便利なＰＣケース。
【請求項３】
前記濾過機構は右方に開口した制限溝も含み、前記制限溝の左端壁には引っ張りバネが設けられ、前記引っ張りバネの右端には引き上げロッドが設けられ、前記引き上げロッドの右端には上端が前記平行移動チャンバの中に位置した平行移動ブロックが設けられ、前記吸気口の左端壁には右方に開口した従動チャンバが設けられ、前記従動チャンバが前記伝動チャンバに連通しており、前記従動チャンバの中には上端が左側の前記伝動板の下端と連結された従動ロッドが設けられ、前記従動ロッドの下端には従動板が設けられ、前記従動板の右端には電磁石が設けられ、前記電磁石の作用は左側の前記伝動板が運動する時に直接に前記吸気口に貫通することであることを特徴とする請求項１に記載の放熱に便利なＰＣケース。
【発明の詳細な説明】
【技術分野】
【０００１】
本発明はコンピューター分野を取り上げて、具体的には放熱に便利なＰＣケースである。
【背景技術】
【０００２】
現段階では、コンピューター本体の放熱がよく調節できなく、ほとんどのが直接に冷却ファンと通風孔とを使って放熱し、コンピューター本体に大量の熱量を快速放熱が必要とされる時に、ニーズを満たすことができないため、コンピューターの実行に影響し、またＰＣケースをクリーニングする時、ＰＣケースを解体する必要がある場合が多いため、手間を増やした。
【先行技術文献】
【特許文献】
【０００３】
【特許文献１】中国特許出願公開第１０９６１３９６１号明細書
【発明の概要】
【発明が解決しようとする課題】
【０００４】
本発明の目的は放熱に便利なＰＣケースを提供し、それは上記の現在の技術中の問題を解決できる。
【課題を解決するための手段】
【０００５】
上記の課題を解決するため、本発明は以下の技術プランを採用する：本発明の放熱に便利なＰＣケースは、ケースとケースに連通した塞ぎチャンバとを含み、前記塞ぎチャンバが前方に開口しており、前記ケースの内の左端壁には外部空間に連通した排気孔が九つ設けられ、前記塞ぎチャンバの右端壁の中にはバネチャンバが三つ設けられ、前記バネチャンバの右端壁の中には伝動チャンバが設けられ、前記伝動チャンバの中には伝動機構が設けられ、前記伝動機構はモーターと前記モーターに伝動できるように連結された伝動軸とを含み、前記伝動軸には伝動リールが固定的に設けられ、前記伝動リールにはロープが巻き付いており、前記伝動チャンバの右端壁には右方に開口したバネ溝が設けられ、前記バネ溝の左端壁には伸縮バネが固定的に設けられ、前記伸縮バネの右端にはロープ巻きブロックが固定的に設けられ、前記ロープ巻きブロックの中には上方に開口した位置制限溝が設けられ、前記位置制限溝の下端壁には位置制限バネが固定的に設けられ、前記位置制限バネの上端には上端が前記バネ溝の中に位置した位置制限ブロックが固定的に設けられ、前記塞ぎチャンバの右端壁には左方に開口した移動チャンバが二つ設けられ、前記バネチャンバの右端壁と前記移動チャンバの右端壁とにはいずれも圧縮バネが固定的に設けられ、前記バネチャンバの中には前記圧縮バネと連結されたバネ板がスライドできるように連結され、前記バネ板の左端には左端が前記塞ぎチャンバの中に位置した塞ぎ板が設けられ、前記塞ぎ板が前記塞ぎチャンバを仕切っており、前記移動チャンバの中には右端が前記圧縮バネと連結された移動板が固定的に設けられ、前記移動板の左端が前記塞ぎチャンバを仕切っており、前記バネ板の右端には右端が前記伝動チャンバの中に位置したチェーンが固定的に設けられ、前記チェーンは前記バネ板を引き動かすことができ、前記移動板の右端には右端が前記伝動チャンバの中に位置した細紐が設けられ、前記細紐は前記移動板を引き動かすことができ、前記伝動チャンバの下端壁の中には濾過機構が設けられ、前記濾過機構は前記伝動チャンバに空気を入れる吸気口を含み、前記吸気口の右端壁には右方に開口した平行移動チャンバが設けられ、前記吸気口の中には多孔板と濾過網とが設けられ、前記平行移動チャンバの中には前記多孔板と前記濾過網とを運動連動させる平行移動板が設けられ、前記平行移動板の右端には引きリングが設けられ、前記平行移動板の作用は放熱によって三つの前記塞ぎ板の移動を調節することである。
【０００６】
優選の技術プランとして、前記伝動機構は三つの伝動板も含み、前記伝動板の中には前記伝動板を貫通した貫通孔が設けられ、前記伝動チャンバの左右端壁の間には前記貫通孔を貫通した支持ロッドが固定的に設けられ、前記支持ロッドには前記貫通孔を貫通した摩擦ロッドがスライドできるように連結され、前記ロープが前記バネ溝を貫通しており、且つ前記ロープ巻きブロックに巻き付いた後に前記摩擦ロッドの右端と連結され、前記摩擦ロッドの右端には右端が前記伝動チャンバの右端壁と連結された伝動バネが設けられ、三本の前記チェーンの右端の片側と三つの前記伝動板とが連結され、前記細紐の右端と左側の前記伝動板とが連結され、前記摩擦ロッドには大きさが違う円錐形摩擦ブロックが二つ設けられ、右側の二つの前記貫通孔の上下端壁の中にはいずれも前記貫通孔に連通した摩擦溝が設けられ、前記摩擦溝の片側端壁には制限バネが設けられ、左側の前記制限バネの一端には一端が前記貫通孔の中に位置した小矩形ブロックが設けられ、右側の前記制限バネの一端には一端が前記貫通孔の中に位置した大矩形ブロックが設けられ、前記伝動チャンバの下端壁には固定ブロックが設けられ、前記固定ブロックの作用は前記塞ぎ板の移動を制御することである。
【０００７】
優選の技術プランとして、前記濾過機構は右方に開口した制限溝も含み、前記制限溝の左端壁には引っ張りバネが設けられ、前記引っ張りバネの右端には引き上げロッドが設けられ、前記引き上げロッドの右端には上端が前記平行移動チャンバの中に位置した平行移動ブロックが設けられ、前記吸気口の左端壁には右方に開口した従動チャンバが設けられ、前記従動チャンバが前記伝動チャンバに連通しており、前記従動チャンバの中には上端が左側の前記伝動板の下端と連結された従動ロッドが設けられ、前記従動ロッドの下端には従動板が設けられ、前記従動板の右端には電磁石が設けられ、前記電磁石の作用は左側の前記伝動板が運動する時に直接に前記吸気口に貫通することである。
【発明の効果】
【０００８】
本装置は構造が簡単で、操作が便利であり、コンピューター本体の放熱のニーズに合わせ、吸気口の大きさを調節して風の入れる程度を調節し、散熱速度を上げ、また簡単な操作で直接にＰＣケースを開けることができ、ＰＣケースの内部をクリーニングすることに便利である。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の放熱に便利なＰＣケースの全体断面の正面構成略図
【図２】図２は本発明の放熱に便利なＰＣケースの伝動機構の部分断面の正面拡大構成略図
【図３】図３は本発明の放熱に便利なＰＣケースの平行移動チャンバのところの全体断面の正面拡大略図
【図４】図４は本発明の放熱に便利なＰＣケースの円錐形摩擦ブロックの右面拡大略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４を参照し、本発明の放熱に便利なＰＣケースは、ケース１とケース１に連通した塞ぎチャンバ４とを含み、前記塞ぎチャンバ４が前方に開口しており、前記ケース１の内の左端壁には外部空間に連通した排気孔２が九つ設けられ、前記塞ぎチャンバ４の右端壁の中にはバネチャンバ７が三つ設けられ、前記バネチャンバ７の右端壁の中には伝動チャンバ１１が設けられ、前記伝動チャンバ１１の中には伝動機構４０が設けられ、前記伝動機構４０はモーター２１と前記モーター２１に伝動できるように連結された伝動軸２０とを含み、前記伝動軸２０には伝動リール１９が固定的に設けられ、前記伝動リール１９にはロープ２２が巻き付いており、前記伝動チャンバ１１の右端壁には右方に開口したバネ溝４４が設けられ、前記バネ溝４４の左端壁には伸縮バネ４５が固定的に設けられ、前記伸縮バネ４５の右端にはロープ巻きブロック４３が固定的に設けられ、前記ロープ巻きブロック４３の中には上方に開口した位置制限溝４６が設けられ、前記位置制限溝４６の下端壁には位置制限バネ４７が固定的に設けられ、前記位置制限バネ４７の上端には上端が前記バネ溝４４の中に位置した位置制限ブロック４８が固定的に設けられ、前記塞ぎチャンバ４の右端壁には左方に開口した移動チャンバ９が二つ設けられ、前記バネチャンバ７の右端壁と前記移動チャンバ９の右端壁とにはいずれも圧縮バネ８が固定的に設けられ、前記バネチャンバ７の中には前記圧縮バネ８と連結されたバネ板６がスライドできるように連結され、前記バネ板６の左端には左端が前記塞ぎチャンバ４の中に位置した塞ぎ板３が設けられ、前記塞ぎ板３が前記塞ぎチャンバ４を仕切っており、前記移動チャンバ９の中には右端が前記圧縮バネ８と連結された移動板５が固定的に設けられ、前記移動板５の左端が前記塞ぎチャンバ４を仕切っており、前記バネ板６の右端には右端が前記伝動チャンバ１１の中に位置したチェーン４９が固定的に設けられ、前記チェーン４９は前記バネ板６を引き動かすことができ、前記移動板５の右端には右端が前記伝動チャンバ１１の中に位置した細紐１０が設けられ、前記細紐１０は前記移動板５を引き動かすことができ、前記伝動チャンバ１１の下端壁の中には濾過機構４１が設けられ、前記濾過機構４１は前記伝動チャンバ１１に空気を入れる吸気口３２を含み、前記吸気口３２の右端壁には右方に開口した平行移動チャンバ５０が設けられ、前記吸気口３２の中には多孔板３１と濾過網２４とが設けられ、前記平行移動チャンバ５０の中には前記多孔板３１と前記濾過網２４とを運動連動させる平行移動板２５が設けられ、前記平行移動板２５の右端には引きリング２６が設けられ、前記平行移動板２５の作用は放熱によって三つの前記塞ぎ板３の移動を調節することである。
【００１３】
有益に、前記伝動機構４０は三つの伝動板１２も含み、前記伝動板１２の中には前記伝動板１２を貫通した貫通孔１４が設けられ、前記伝動チャンバ１１の左右端壁の間には前記貫通孔１４を貫通した支持ロッド３９が固定的に設けられ、前記支持ロッド３９には前記貫通孔１４を貫通した摩擦ロッド３７がスライドできるように連結され、前記ロープ２２が前記バネ溝４４を貫通しており、且つ前記ロープ巻きブロック４３に巻き付いた後に前記摩擦ロッド３７の右端と連結され、前記摩擦ロッド３７の右端には右端が前記伝動チャンバ１１の右端壁と連結された伝動バネ４２が設けられ、三本の前記チェーン１９の右端の片側と三つの前記伝動板１２とが連結され、前記細紐１０の右端と左側の前記伝動板１２とが連結され、前記摩擦ロッド３７には大きさが違う円錐形摩擦ブロック３８が二つ設けられ、右側の二つの前記貫通孔１４の上下端壁の中にはいずれも前記貫通孔１４に連通した摩擦溝１５が設けられ、前記摩擦溝１５の片側端壁には制限バネ１６が設けられ、左側の前記制限バネ１６の一端には一端が前記貫通孔１４の中に位置した小矩形ブロック１７が設けられ、右側の前記制限バネ１６の一端には一端が前記貫通孔１４の中に位置した大矩形ブロック１７が設けられ、前記伝動チャンバ１１の下端壁には固定ブロック２３が設けられ、前記固定ブロック２３の作用は前記塞ぎ板３の移動を制御することである。
【００１４】
有益に、前記濾過機構４１は右方に開口した制限溝２９も含み、前記制限溝２９の左端壁には引っ張りバネ３０が設けられ、前記引っ張りバネ３０の右端には引き上げロッド２８が設けられ、前記引き上げロッド２８の右端には上端が前記平行移動チャンバ５０の中に位置した平行移動ブロック２７が設けられ、前記吸気口３２の左端壁には右方に開口した従動チャンバ３６が設けられ、前記従動チャンバ３６が前記伝動チャンバ１１に連通しており、前記従動チャンバ３６の中には上端が左側の前記伝動板１２の下端と連結された従動ロッド３５が設けられ、前記従動ロッド３５の下端には従動板３３が設けられ、前記従動板３３の右端には電磁石３４が設けられ、前記電磁石３４の作用は左側の前記伝動板１２が運動する時に直接に前記吸気口３２に貫通することである。
【００１５】
以下、図１〜４と上記に説明した当該出願の放熱に便利なＰＣケースの具体的な構成とを参照し、放熱に便利なＰＣケースの使用方法を詳しく説明する：
【００１６】
放熱量を増やそうとする時、モーター２１が作動し伝動軸２０と伝動リール１９とを回転連動させ、これによりロープ２２をきつく巻き、摩擦ロッド３７を右へ運動させ、大矩形ブロック１８と右側の伝動板１２とを右へ運動させ、下側の塞ぎ板３とバネ板６とを右へ運動させ、右側の伝動板１２と固定ブロック２３とが接触した後にモーター２１が作動し続き、右側の円錐形摩擦ブロック１３と小矩形ブロック１７とが接触し、これにより中間の伝動板１２を右へ運動させ、このように、中間の伝動板１２と右側の伝動板１２とが接触した後、左側の円錐形摩擦ブロック３８と左側の伝動板１２とが接触して左側の伝動板１２を右へ運動連動させ、最終的に三つの塞ぎ板３と移動板５とが伝動板１２に連動され、塞ぎチャンバ４の前端壁を外部空間に連通させ、圧縮バネ８が圧縮され、空気が出る空間を拡大する。
【００１７】
左側の伝動板１２が右へ運動する時、従動ロッド３５と、従動板３３と、多孔板２１と、濾過網２４と、平行移動板２５と、引きリング２６とを右へ運動連動させ、位置制限ブロック４８が上へ突き出てロープ巻きブロック４３の復帰を制限し、これによりケース１の内部が吸気口３２を通じて直接に外部空間に連通させ、空気が入れる量を増やし、ケース１をクリーニングする時、ロープ巻きブロック４３を右へ引き動かし、手動でロープ２２を引き動かして塞ぎチャンバ４を開け、ケース１の内部をクリーニングすることに便利であり、引きリング２６を引き動かし、平行移動ブロック２７と引き上げロッド２８との制限により、濾過網２４を取り出して交換し、クリーニング完了後、位置制限ブロック４８を押し、装置がバネの作用により復帰する。
【００１８】
本発明の有益効果は：本装置は構造が簡単で、操作が便利であり、コンピューター本体の放熱のニーズに合わせ、吸気口の大きさを調節して風の入れる程度を調節し、散熱速度を上げ、また簡単な操作で直接にＰＣケースを開けることができ、ＰＣケースの内部をクリーニングすることに便利である。
【００１９】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020184287.tif 000003
【図２】
2020184287.tif 000004
【図３】
2020184287.tif 000005
【図４】
2020184287.tif 000006
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
正面視で、ケースとケースに連通した塞ぎチャンバとを含み、前記塞ぎチャンバが前方に開口しており、前記ケースの内の左端壁には外部空間に連通した排気孔が九つ設けられ、前記塞ぎチャンバの右端壁の中にはバネチャンバが三つ設けられ、前記バネチャンバの右端壁の中には伝動チャンバが設けられ、前記伝動チャンバの中には伝動機構が設けられ、前記伝動機構はモーターと前記モーターに伝動できるように連結された伝動軸とを含み、前記伝動軸には伝動リールが固定的に設けられ、前記伝動リールにはロープが巻き付いており、前記伝動チャンバの右端壁には右方に開口したバネ溝が設けられ、前記バネ溝の左端壁には伸縮バネが固定的に設けられ、前記伸縮バネの右端にはロープ巻きブロックが固定的に設けられ、前記ロープ巻きブロックの中には上方に開口した位置制限溝が設けられ、前記位置制限溝の下端壁には位置制限バネが固定的に設けられ、前記位置制限バネの上端には上端が前記バネ溝の中に位置した位置制限ブロックが固定的に設けられ、前記塞ぎチャンバの右端壁には左方に開口した移動チャンバが二つ設けられ、前記バネチャンバの右端壁と前記移動チャンバの右端壁とにはいずれも圧縮バネが固定的に設けられ、前記バネチャンバの中には前記圧縮バネと連結されたバネ板がスライドできるように連結され、前記バネ板の左端には左端が前記塞ぎチャンバの中に位置した塞ぎ板が設けられ、前記塞ぎ板が前記塞ぎチャンバを仕切っており、前記移動チャンバの中には右端が前記圧縮バネと連結された移動板が固定的に設けられ、前記移動板の左端が前記塞ぎチャンバを仕切っており、前記バネ板の右端には右端が前記伝動チャンバの中に位置したチェーンが固定的に設けられ、前記チェーンは前記バネ板を引き動かすことができ、前記移動板の右端には右端が前記伝動チャンバの中に位置した細紐が設けられ、前記細紐は前記移動板を引き動かすことができ、前記伝動チャンバの下端壁の中には濾過機構が設けられ、前記濾過機構は前記伝動チャンバに空気を入れる吸気口を含み、前記吸気口の右端壁には右方に開口した平行移動チャンバが設けられ、前記吸気口の中には多孔板と濾過網とが設けられ、前記平行移動チャンバの中には前記多孔板と前記濾過網とを運動連動させる平行移動板が設けられ、前記平行移動板の右端には引きリングが設けられ、前記平行移動板の作用は放熱によって三つの前記塞ぎ板の移動を調節することであり、
前記伝動機構は三つの伝動板も含み、前記伝動板の中には前記伝動板を貫通した貫通孔が設けられ、前記伝動チャンバの左右端壁の間には前記貫通孔を貫通した支持ロッドが固定的に設けられ、前記支持ロッドには前記貫通孔を貫通した摩擦ロッドがスライドできるように連結され、前記ロープが前記バネ溝を貫通しており、且つ前記ロープ巻きブロックに巻き付いた後に前記摩擦ロッドの右端と連結され、前記摩擦ロッドの右端には右端が前記伝動チャンバの右端壁と連結された伝動バネが設けられ、三本の前記チェーンの右端の片側と三つの前記伝動板とが連結され、前記細紐の右端と左側の前記伝動板とが連結され、前記摩擦ロッドには大きさが違う円錐形摩擦ブロックが二つ設けられ、右側の二つの前記貫通孔の上下端壁の中にはいずれも前記貫通孔に連通した摩擦溝が設けられ、前記摩擦溝の片側端壁には制限バネが設けられ、左側の前記制限バネの一端には一端が前記貫通孔の中に位置した小矩形ブロックが設けられ、右側の前記制限バネの一端には一端が前記貫通孔の中に位置した大矩形ブロックが設けられ、前記伝動チャンバの下端壁には固定ブロックが設けられ、前記固定ブロックの作用は前記塞ぎ板の移動を制御することであり、
前記濾過機構は右方に開口した制限溝も含み、前記制限溝の左端壁には引っ張りバネが設けられ、前記引っ張りバネの右端には引き上げロッドが設けられ、前記引き上げロッドの右端には上端が前記平行移動チャンバの中に位置した平行移動ブロックが設けられ、前記吸気口の左端壁には右方に開口した従動チャンバが設けられ、前記従動チャンバが前記伝動チャンバに連通しており、前記従動チャンバの中には上端が左側の前記伝動板の下端と連結された従動ロッドが設けられ、前記従動ロッドの下端には従動板が設けられ、前記従動板の右端には電磁石が設けられ、前記電磁石の作用は左側の前記伝動板が運動する時に直接に前記吸気口に貫通することであることを特徴とする放熱に便利なＰＣケース。